(57)【特許請求の範囲】
【請求項１】
長手方向軸線（Ｌ）を有するワーク（２）用の搬送装置（１）、特に管又は円形材料用の搬送装置（１）であって、前記ワーク（２）が、前記長手方向軸線（Ｌ）に対して横方向の搬送方向（Ｆ）で、第１の場所（３）から第２の場所（４）へと搬送可能であり、
前記搬送方向（Ｆ）で互いに間隔を置いて位置固定に配置され、搬送すべき前記ワーク（２）を一時的に支持する少なくとも２つの受け支持体（５，６）と、
前記ワーク（２）のための前記搬送方向（Ｆ）で互いに間隔を置いて配置された複数の支持面（８）を有する少なくとも１つの第１の搬送レーキ（７）と、
互いに平行に配置され、同期的に駆動される少なくとも２つの駆動軸（９，１０）と、
各々がそれぞれ１つの前記駆動軸（９，１０）に相対回動不能に結合され、かつ前記第１の搬送レーキ（７）に枢設されている少なくとも２つの第１のリンク（１１，１２）と、
を備える、長手方向軸線（Ｌ）を有するワーク（２）用の搬送装置（１）において、
ワーク（２）のための少なくとも１つの支持面（１４）を有する少なくとも１つの第２の搬送レーキ（１３）を備え、該第２の搬送レーキ（１３）は、少なくとも２つの第２のリンク（１５，１６）を介して前記駆動軸（９，１０）に結合されるようになっており、前記第２のリンク（１５，１６）の各々は、それぞれ１つの前記駆動軸（９，１０）に相対回動不能に結合され、かつ前記第２の搬送レーキ（１３）に枢設されており、さらに、前記第２のリンク（１５，１６）は、それぞれの駆動軸（９，１０）において、前記第１のリンク（１１，１２）に対して相対的に周方向にずれ角度（α）の分だけずらされて配置されていることを特徴とする、長手方向軸線を有するワーク用の搬送装置。
【請求項２】
前記ずれ角度（α）は、４０°〜８０°である、請求項１記載の搬送装置。
【請求項３】
前記ずれ角度（α）は、６０°である、請求項２記載の搬送装置。
【請求項４】
両駆動軸（９，１０）は、１つの共通の駆動モータ（１７）により駆動されている、請求項１から３までのいずれか１項記載の搬送装置。
【請求項５】
両駆動軸（９，１０）は、該駆動軸（９，１０）の軸方向中央領域において前記駆動モータ（１７）により駆動され、前記第１及び第２のリンク（１１，１２，１５，１６）は、前記駆動軸（９，１０）の軸方向端部領域に相対回動不能に配置されている、請求項４記載の搬送装置。
【請求項６】
前記受け支持体（５，６）は、２つのそれぞれ異なる高さレベルに配置されている、請求項１から５までのいずれか１項記載の搬送装置。
【請求項７】
前記第１の搬送レーキ（７）のワーク（２）のための支持面（８）の数は、前記第２の搬送レーキ（１３）のワーク（２）のための支持面（１４）の数より多い、請求項１から６までのいずれか１項記載の搬送装置。
【請求項８】
前記第１の場所（３）及び／又は前記第２の場所（４）に、前記ワーク（２）にねじ山を切るねじ切り加工機械が配置されている、請求項１から７までのいずれか１項記載の搬送装置。
【請求項９】
前記第１の場所（３）及び／又は前記第２の場所（４）に、前記ワーク（２）の面取り加工又はフライス加工を行う機械が配置されている、請求項１から７までのいずれか１項記載の搬送装置。
【請求項１０】
前記第１の場所（３）及び／又は前記第２の場所（４）に、前記ワーク（２）を締め付けるクランプ装置（１８）が配置されている、請求項１から９までのいずれか１項記載の搬送装置。
【発明の詳細な説明】
【技術分野】
【０００１】
本発明は、長手方向軸線を有するワーク用の搬送装置、特に管又は円形材料用の搬送装置であって、ワークが、長手方向軸線に対して横方向の搬送方向で、第１の場所から第２の場所へと搬送可能であり、搬送方向で互いに間隔を置いて位置固定に配置され、搬送すべきワークを一時的に支持する少なくとも２つの受け支持体と、ワークのための搬送方向で互いに間隔を置いて配置された複数の支持面を有する少なくとも１つの第１の搬送レーキと、互いに平行に配置され、同期的に駆動される少なくとも２つの駆動軸と、各々がそれぞれ１つの駆動軸に相対回動不能に結合され、かつ第１の搬送レーキにヒンジ式に結合されている少なくとも２つの第１のリンクと、を備える、長手方向軸線を有するワーク用の搬送装置に関する。
【０００２】
このような装置により、ワークの位置を移動させていく横方向搬送が可能である。ワークのうちの複数は、ワークの長手方向軸線の方向で、平行に相並んで間隔を置いて寝かされて配置されている。搬送は、ウォーキングビーム式搬送装置の形式で交互に上昇と下降とを行うことにより一歩一歩、これと同時に、面取り部及び／又はねじ山を設けるワークの端部を加工する設備を通走させて実施される。
【０００３】
その際、ワークには、通常、例えば管フライス加工機械においてあるいは管フライス加工機械内においてまず面取り部が設けられ、その後、第１のねじ切り加工機械あるいはワークの端部をフライス加工する工具を装備した機械へと搬送される。上述の機械は、ここでは、互いに間隔を置いて配置された受け部に配置されている。ワークは、搬送中、水平の搬送方向で互いに間隔を置いて配置された受け部に下ろされなければならないか、あるいは一時的に位置決めされなければならない。受け部は、それぞれ異なる高さ平面内に、すなわち鉛直方向で上下の平面内に配置されていてよい。
【０００４】
管状又は棒状のワークを加工する工作機械は、通常、少なくとも１つのレボルバヘッドを有している。レボルバヘッドには、少なくとも２つの工具が装着可能である。管状のワークは、回転軸線周りに回転可能であり、レボルバヘッドは、工具を位置決めするためにレボルバ回転軸線周りに回転可能である。
【０００５】
上述の形態の工作機械は、管状のワークを外周面、内周面及び端面において加工するために使用される。すなわち、管端部に切削加工が施される。切削加工は、一般に任意の旋削加工と解されるべきであり、特に雌ねじ山及び雄ねじ山の形成又はワークの端部あるいはヘッド端部の面取りと解されるべきである。このために、管状のワークをワークスピンドルに締め付けるようにした機械が公知である。その後、加工は、ワークに工具を近づけることによって実施される。このとき、複数の工具がレボルバヘッドに保持される。ワークスピンドル及びレボルバヘッドの回転軸線は、互いに平行に、任意選択的には直角に配置されている。その際、一般には、ワーク、すなわち加工したい管状の部品を回転させ、工具を固定しておくことが可能である。また、工具を回転させて、固定したワークを加工することも可能である。後者の場合、ワークスピンドルは、ワークを、切削加工に際して正しい位置に位置決めするためだけに回転させる。２つのレボルバヘッドを用いて作業することも公知である。２つのレボルバヘッドは、相応の数の工具を提供する。これに関する従来技術としては、ドイツ連邦共和国特許出願公開第１０２００４００４４９８号明細書が挙げられる。
【０００６】
その際、管状のワークと工具との間の位置調節運動は、公知の形式で数値制御される。このためには、管状のワークが切削加工中には静止している場合、工具送り部が作動されて、管端部の加工がその都度の回転する工具により実施可能となる前に、まず、管状のワークを機械に対して所定の位置に移動させる必要がある。同じことは、管状のワークが回転し、固定の工具が管に接近する場合にも云える。
【０００７】
このような工作機械にワークを供給するために、冒頭で述べた形態の搬送装置が公知である。この搬送装置においては、クランク機構によって動かされるビーム状のレーキ（Ｒｅｃｈｅｎ）が、レーキの歯状をなした支持部により、ワークを間欠式にあるいは一歩一歩、個々の受け部あるいは加工部へと、工作機械の前に一列に並ぶように搬送する。レーキは、上側及び下側の高さ平面の受け部に到達しなければならない。工作機械に対する回転角度は、搬送経路の受け部からよりも、すなわち、受け部から受け部へよりも大きい。最大で許容可能な加速度をもってしても、同期的に動作するクランク機構を介して歩進するレーキのサイクル時間は、大きな旋回角度に基づいて比較的長い。
【０００８】
それゆえ本発明の課題は、搬送したい物品のための予め決められた最大で許容可能な加速度を遵守しつつ、より高速の搬送を可能にするように、冒頭で述べた形態の搬送装置を改良し、その結果、短縮された搬送時間、ひいては設備のより高い生産性を達成することである。さらに、提案する搬送装置は、簡単に、ひいては安価に製造することが可能であることが望ましい。
【０００９】
本発明による上述の課題の解決手段は、搬送装置が、冒頭で挙げた要素に加えてさらに、ワークのための少なくとも１つの支持面を有する少なくとも１つの第２の搬送レーキを備え、第２の搬送レーキは、２つの第２のリンクを介して駆動軸に結合されるようになっており、第２のリンクの各々は、それぞれ１つの駆動軸に相対回動不能に結合され、かつ第２の搬送レーキにヒンジ式に結合されており、さらに、第２のリンクは、それぞれの駆動軸において、第１のリンクに対して相対的に周方向にずれ角度の分だけずらされて配置されていることを特徴とする。このように形成されたダブルレーキ（Ｄｏｐｐｅｌｒｅｃｈｅｎ）により、ワーク又は管若しくは円形材料の長手方向軸線の方向で、管の長さに基づいて相応に、継手軸を介した軸の同期的な駆動装置を有する複数のユニットを設けることができる。
【００１０】
ずれ角度は、好ましくは、４０°〜８０°であり、６０°の値が特に実証されている。
【００１１】
両駆動軸は、好ましくは、１つの共通の駆動モータにより駆動されている。両駆動軸は、駆動軸の軸方向中央領域において駆動モータにより駆動され、第１及び第２のリンクは、駆動軸の軸方向端部領域に相対回動不能に配置されている。これにより、簡単かつ好適な構造が得られる。
【００１２】
受け支持体は、２つのそれぞれ異なる高さレベルに配置されていてもよい。受け支持体は、好ましくは、角柱体状の支持部として形成されている。
【００１３】
第１及び第２の搬送レーキのワークのための支持面の数は、同じでなくてもよい。第１の搬送レーキの支持面の数は、第２の搬送レーキのワークのための支持面の数より多くてもよい。
【００１４】
第１の場所及び／又は第２の場所に、ワークにねじ山を切るねじ切り加工機械又はワークの面取り加工又はフライス加工を行う機械が配置されていてもよい。
【００１５】
さらに、第１の場所及び／又は第２の場所に、ワークを締め付けるクランプ装置が配置されていてもよい。このクランプ装置は、工作機械の構成要素であってもよい。
【００１６】
これにより、本発明により、機械領域においてより小さな搬送回転角度及び同じ搬送回転角度を有する短縮された搬送時間あるいはサイクル時間と、より高い生産性とが、互いに水平に間隔を置いてかつ高さをずらされて配置され、一緒に駆動される２つの搬送レーキにより達成される。両レーキのリンクは、所定の角度ずれ（好ましくは６０°）を有してクランク機構の駆動軸上に支承されている。
【００１７】
こうして形成された、シングルレーキと比較して若干長尺の駆動軸の両側に設けられたそれぞれ１つのレーキを有するダブルレーキは、レーキの、角度ずれを有して駆動軸に取り付けられたリンクに基づいて、最大の許容可能な加速度で両方の鉛直の高さ平面に同時に到着する。各々レーキのために減じられ、かつ同じ搬送回転角度、すなわち、第１のレーキにおいては例えば２４０°、第２のレーキにおいては６０°のリンクの角度ずれを有して相応に１８０°の搬送回転角度は、少なくとも２５％のサイクル時間の短縮を可能にする。
【００１８】
図面に本発明の実施の形態を示した。
【図面の簡単な説明】
【００１９】
【図１ａ】ダブルレーキの側面図である。
【図１ｂ】平面図である。
【図１ｃ】搬送方向で管を搬送する搬送装置の正面図である。
【図２】若干異なる実施の形態に係る搬送装置の側面図である。
【図３】別の若干異なる実施の形態に係る搬送装置の側面図である。
【００２０】
図１ａ乃至図１ｃは、搬送装置１を示している。搬送装置１は、管の形態のワークあるいは被加工物２を搬送方向Ｆで搬送する。その際、搬送方向Ｆは、ワーク２の長手方向軸線Ｌに対して垂直である。
【００２１】
搬送装置１は、ウォーキングビーム式搬送装置と類似の形式で作動する。このために搬送装置１は、位置固定に配置された複数の受け支持体５，６を有している。これらの受け支持体５，６には、搬送中、それぞれ１つのワーク２が一時的に下ろされるか、あるいは一時的に位置決めされる。図示したような搬送装置１がそれぞれ１つずつ、搬送すべき管状の物品の少なくとも軸方向の端部領域に配置されており、両搬送装置１は、同期的に作動する。
【００２２】
ある受け支持体５，６から搬送方向Ｆで見て後続の受け支持体への間欠式の搬送は、２つの搬送レーキ、すなわち第１の搬送レーキ７及び第２の搬送レーキ１３により実施される。このために駆動モータ１７が設けられている。駆動モータ１７は、適当な駆動要素（例えばチェーン又はベルト）を介して２つの駆動軸９，１０を同期的に駆動する。駆動軸９，１０には、それぞれ２つのリンク、すなわちそれぞれ１つの第１のリンク１１あるいは１２及びそれぞれ１つの第２のリンク１５あるいは１６が相対回動不能に配置されている（これらについては、図１ｂに最良に看取可能である。）。クランクアーム状のリンク１１，１２，１５，１６の、駆動軸９，１０から遠位の端部は、ヒンジ式にそれぞれの搬送レーキ７あるいは１３に枢設されている。つまり、図１ｂ及び図１ｃにおいて特に、両搬送レーキ７，１３がそれぞれのリンク１１，１２，１５，１６を介して共通の駆動軸９，１０上に軸支あるいは取着されていることが看取可能である。
【００２３】
したがって、駆動モータ１７による駆動軸９，１０の同期回転は、リンク１１，１２，１５，１６が駆動軸９，１０とともに連れ回り、両搬送レーキ７，１３が昇降運動と並進運動との組み合わせよりなる往復運動を行うことを結果としてもたらす。
【００２４】
搬送レーキ７，１３の上面には、支持面８あるいは１４が配置されている。支持面８あるいは１４は、レーキの歯状をなした支持部として形成されている。支持面８，１４の、側面図で見てＶ字形の形状は、管状のワーク２が支持部に確実に保持され得ることを保証する。これによりワーク２は、ある位置固定の受け支持体５，６から搬送レーキ７，１３あるいはその支持面８，１４によって上方に持ち上げられ、レーキ７，１３の運動軌道に沿って下流に移動され、その後、レーキ７，１３の下降運動によって次の受け支持体５，６上に再び下ろされる。こうしてワーク２は、搬送方向Ｆで下流に搬送され得る。
【００２５】
図１ａには、フライス加工機械あるいは面取り加工機械１９及びねじ切り加工機械２０が、著しく概略的にのみ示してある。フライス加工機械あるいは面取り加工機械１９の手前には、位置合わせプッシャ（Ａｕｓｒｉｃｈｔｐｕｓｈｅｒ）２１が設けられている。ねじ切り加工機械２０の手前には、位置合わせローラテーブル（Ａｕｓｒｉｃｈｔｒｏｌｌｇａｎｇ）２２が配置されている。機械１９，２０間には、複数の定置の受け支持体（受け角柱体）５が設けられている。
【００２６】
図２に最良に看取可能であるように、第１のリンク１１，１２と第２のリンク１５，１６とは、周方向にずれ角度αの分だけずらされてそれぞれの駆動軸９，１０に固定されていることが重要である。この角度は、本実施の形態では６０°である。
【００２７】
これに応じて、可動の両搬送レーキ７，１３、つまりダブルレーキを有するアッセンブリは、レーキの歯状をなした支持部が支持面８あるいは１４で再びワーク２と係合するまでに、駆動軸９，１０の一回転に相当する運動、すなわち３６０°の回転をする必要はない。むしろ、ずれ角αの分だけ後にある搬送レーキは、駆動軸９，１０が上述の角度分だけ回転した段階で既に、ワーク２を上述の形式で引き続き搬送する。これに応じて、ワーク２に関する許容可能な加速を超過することなく、ワークのより高速の搬送が可能である。
【００２８】
一般にワーク２は、第１の場所３から第２の場所４へと搬送される（これについては図１ａ又は図２参照）。上述の両場所には、ワークを加工する工作機械が配置可能である。図２には、ワークを加工するために、それぞれ１つのクランプ装置１８を概略的に示してある。ワーク２は、クランプ装置１８により加工目的で締め付け可能である。
【００２９】
図１ａには、ワーク２が、それぞれ異なる高さ平面内に下ろされるあるいはそれぞれ異なる高さ平面から受け取られるにもかかわらず、両レーキ７，１３により同時に到達され、受け取られ、歩進され、それぞれ異なる高さに再び下ろされることが看取可能である。
【００３０】
図２は、ダブルレーキの概略長手方向側面図において、ワーク２を面取り加工機械あるいはフライス加工機械（管面取り加工設備）１９のクランプ装置１８の開放されたクランプ手段から間欠式に搬送し、高位の受け、その後、ねじ切り加工機械２０の開放されたクランプ手段間の低位の平面内の受けに一時的に配置し、続いて、ワーク２を例えば図示しない排出ローラテーブル（Ａｂｌａｕｆｒｏｌｌｇａｎｇ）へと間欠式に搬送する、ワークの間欠式の搬送を示している。
【００３１】
図３は、図２と同様の、間欠式の搬送行程中のレーキ７，１３の様々な中間位置を含む概略図を示している。
【符号の説明】
【００３２】
１  搬送装置
２  ワーク
３  第１の場所
４  第２の場所
５  受け支持体
６  受け支持体
７  第１の搬送レーキ
８  支持面
９  駆動軸
１０  駆動軸
１１  第１のリンク
１２  第１のリンク
１３  第２の搬送レーキ
１４  支持面
１５  第２のリンク
１６  第２のリンク
１７  駆動モータ
１８  クランプ装置
１９  フライス加工／面取り加工機械（管面取り設備）
２０  ねじ切り加工機械
２１  位置合わせプッシャ
２２  位置合わせローラテーブル
Ｌ  長手方向軸線
Ｆ  搬送方向
α  ずれ角度
【図１ａ】
0005774194.tif 000002
【図１ｂ】
0005774194.tif 000003
【図１ｃ】
0005774194.tif 000004
【図２】
0005774194.tif 000005
【図３】
0005774194.tif 000006